【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ワイヤレス媒体上で物理レイヤコンバージェンスプロトコルデータユニットを送信する方法であって、
前記物理レイヤコンバージェンスプロトコルデータユニットの第1の部分を生成するステップであって、前記第1の部分が信号フィールドを有する送信可フレームを含む、ステップと、
前記物理レイヤコンバージェンスプロトコルデータユニットの第2の部分を生成するステップであって、前記第2の部分が、マルチユーザ送信についてのスケジューリング情報と、前記マルチユーザ送信の間に通信する第2のデバイスセットのうちの1つまたは複数の識別情報とを示すために生成され、前記識別情報が、前記1つまたは複数の第2のデバイスセットの各々についての局識別子、グループ識別子、および関連付け識別子のうちの少なくとも1つを含む、ステップと、
第1のデータレートで前記第1の部分を送信するステップであって、前記第1の部分が第1のデバイスセットおよび前記第2のデバイスセットによって復号可能である、ステップと、
前記第1のデータレートよりも高い第2のデータレートで前記第2の部分を送信するステップであって、前記第2の部分が前記第2のデバイスセットによって復号可能であり、前記信号フィールドが前記送信可フレームの長さよりも大きい前記物理レイヤコンバージェンスプロトコルデータユニットの長さを示し、前記示された長さが前記送信可フレームの長さの少なくとも一部分を含み、前記第2の部分を生成するステップが、前記マルチユーザ送信についての変調およびコーディング方式(MCS)、帯域幅、サブバンド、空間ストリーム情報、ならびに長さ情報のうちの1つまたは複数の指示を生成するステップを含む、ステップと
を含む、方法。
【請求項２】
前記第1の部分を生成するステップが、持続時間フィールドを生成するステップであって、前記持続時間フィールドが、前記第1の部分および前記第2の部分を組み合わせた長さよりも大きなデータ値を含む、ステップを含む、請求項1に記載の方法。
【請求項３】
前記第2の部分を生成するステップが、前記第2の部分の長さの指示を生成するステップを含む、請求項1に記載の方法。
【請求項４】
前記信号フィールドが、前記第2の部分の終了位置を示す、請求項1に記載の方法。
【請求項５】
前記信号フィールドが、前記第2の部分が前記物理レイヤコンバージェンスプロトコルデータユニット内に存在することを示す、請求項1に記載の方法。
【請求項６】
持続時間フィールドを含むように前記第1の部分を生成するステップと、前記持続時間フィールドを所定の値よりも大きい長さを示すように設定することによって前記第2の部分の存在を示すように前記第1の部分を生成するステップとをさらに含む、請求項5に記載の方法。
【請求項７】
ワイヤレス媒体上で物理レイヤコンバージェンスプロトコルデータユニットを送信するための装置であって、
プロセッサであって、
前記物理レイヤコンバージェンスプロトコルデータユニットの第1の部分を生成することであって、前記第1の部分が信号フィールドを有する送信可フレームを含む、生成することと、
前記物理レイヤコンバージェンスプロトコルデータユニットの第2の部分を生成することであって、前記第2の部分が、マルチユーザ送信についてのスケジューリング情報と、前記マルチユーザ送信の間に通信する第2のデバイスセットのうちの1つまたは複数の識別情報とを示すために生成され、前記識別情報が、前記1つまたは複数の第2のデバイスセットの各々についての局識別子、グループ識別子、および関連付け識別子のうちの少なくとも1つを含む、生成することと
を行うように構成される、プロセッサと、
トランスミッタであって、
第1のデータレートで前記第1の部分を送信することであって、前記第1の部分が第1のデバイスセットおよび前記第2のデバイスセットによって復号可能である、送信することと、
前記第1のデータレートよりも高い第2のデータレートで前記第2の部分を送信することであって、前記第2の部分が前記第2のデバイスセットによって復号可能であり、前記信号フィールドが前記送信可フレームの長さよりも大きい前記物理レイヤコンバージェンスプロトコルデータユニットの長さを示し、前記示された長さが前記送信可フレームの長さの少なくとも一部分を含み、前記第2の部分を生成することが、前記マルチユーザ送信についての変調およびコーディング方式(MCS)、帯域幅、サブバンド、空間ストリーム情報、ならびに長さ情報のうちの1つまたは複数の指示を生成することを含む、送信することと
を行うように構成される、トランスミッタと
を備える、装置。
【請求項８】
前記第1の部分の前記生成が、前記第1の部分および前記第2の部分を組み合わせた長さよりも大きな値を記憶する持続時間フィールドを生成することを含む、請求項7に記載の装置。
【請求項９】
前記第2の部分の前記生成が、前記第2の部分の長さの指示を生成することを含む、請求項7に記載の装置。
【請求項１０】
前記信号フィールドが、前記第2の部分の終了位置を示す、請求項7に記載の装置。
【請求項１１】
ワイヤレス媒体上で物理レイヤコンバージェンスプロトコルデータユニットを受信する方法であって、
ワイヤレスデバイスによって、前記物理レイヤコンバージェンスプロトコルデータユニットの第1の部分を受信するステップであって、前記第1の部分が信号フィールドを有する送信可フレームを含み、前記信号フィールドが前記送信可フレームの長さよりも大きい前記物理レイヤコンバージェンスプロトコルデータユニットの長さを示し、前記示された長さが前記送信可フレームの長さの少なくとも一部分を含む、ステップと、
前記第1の部分に基づいて、前記物理レイヤコンバージェンスプロトコルデータユニットが前記第1の部分よりも高いデータレートで送信される第2の部分を含むかどうかを判断するステップと、
前記判断するステップに基づいて、前記より高いデータレートで前記第2の部分を受信するステップと、
マルチユーザ送信についてのスケジューリング情報を判断し、かつ前記マルチユーザ送信の間に通信する1つまたは複数のデバイスを識別するために前記第2の部分を復号するステップであって、前記識別は、局識別子、グループ識別子、および関連付け識別子のうちの少なくとも1つに基づく、ステップと、
前記ワイヤレスデバイスが識別されるかどうかを判断するステップと、
前記マルチユーザ送信についての変調およびコーディング方式(MCS)、帯域幅、サブバンド、空間ストリーム情報、ならびに長さ情報のうちの1つまたは複数を含む前記マルチユーザ送信の1つまたは複数のパラメータを判断するために、前記第2の部分を復号するステップと、
前記ワイヤレスデバイスが識別されるかどうかに基づいて、かつ前記判断された1つまたは複数のパラメータに基づいて、前記マルチユーザ送信の間に通信するステップと
を含む、方法。
【請求項１２】
前記第1の部分および前記第2の部分を組み合わせた長さよりも大きなデータ値を有する持続時間フィールドを判断するために、前記第1の部分を復号するステップと、
前記持続時間フィールドの前記データ値に基づいて、ネットワーク割振りベクトルを設定するステップと
をさらに含む、請求項11に記載の方法。
【請求項１３】
前記第2の部分の長さを判断するために、前記第1の部分を復号するステップと、
前記第2の部分の前記判断された長さに基づいて、前記第2の部分を復号するステップと
をさらに含む、請求項11に記載の方法。
【請求項１４】
前記第2の部分の終了位置を判断するために、前記信号フィールドを復号するステップと、
前記第2の部分の前記判断された終了位置に基づいて、前記第2の部分を復号するステップと
をさらに含む、請求項11に記載の方法。
【請求項１５】
ワイヤレス媒体上で物理レイヤコンバージェンスプロトコルデータユニットを受信するための装置であって、
前記物理レイヤコンバージェンスプロトコルデータユニットの第1の部分を受信するように構成されるレシーバであって、前記第1の部分が信号フィールドを有する送信可フレームを含み、前記信号フィールドが前記送信可フレームの長さよりも大きい前記物理レイヤコンバージェンスプロトコルデータユニットの長さを示し、前記示された長さが前記送信可フレームの長さの少なくとも一部分を含む、レシーバと、
前記第1の部分に基づいて、前記物理レイヤコンバージェンスプロトコルデータユニットが前記第1の部分よりも高いデータレートで送信される第2の部分を含むかどうかを判断するように構成されるプロセッサであって、前記レシーバが、前記判断したことに基づいて、前記より高いデータレートで前記第2の部分を受信するようにさらに構成され、前記プロセッサが、
マルチユーザ送信についてのスケジューリング情報を判断するために前記第2の部分を復号することと、
前記マルチユーザ送信の間に通信する1つまたは複数のデバイスを識別するために前記第2の部分を復号することであって、前記識別は、局識別子、グループ識別子、および関連付け識別子のうちの少なくとも1つに基づく、復号することと、
前記装置が識別されるかどうかを判断することと、
前記マルチユーザ送信についての変調およびコーディング方式(MCS)、帯域幅、サブバンド、空間ストリーム情報、ならびに長さ情報を含む前記マルチユーザ送信の1つまたは複数のパラメータを判断するために、前記第2の部分を復号することと、
前記装置が識別されるかどうかに基づいて、かつ前記判断された1つまたは複数のパラメータに基づいて、前記マルチユーザ送信の間に通信することと
を行うようにさらに構成される、プロセッサと
を備える、装置。
【請求項１６】
前記プロセッサが、前記第2の部分から前記1つまたは複数の第2のデバイスセットの各々についての局識別子、グループ識別子、および関連付け識別子のうちの1つを復号することによって、前記1つまたは複数のデバイスを識別するようにさらに構成される、請求項15に記載の装置。
【請求項１７】
前記プロセッサが、
前記第1の部分の持続時間フィールドにおけるデータ値を復号し、
前記第1の部分および前記第2の部分を組み合わせた長さよりも大きな前記データ値を有するかどうかを判断し、
前記判断に応答して、ネットワーク割振りベクトルを設定する
ようにさらに構成される、請求項15に記載の装置。